【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
第一室と該第一室の開口部とを有する第一容器と、
第二室と該第二室の開口部とを有する第二容器とを備え、
ストローの挿入によって前記第一室及び前記第二室を連通して、前記第一室及び前記第
二室にそれぞれ充填された内容物を混合する二室容器において、
前記第一容器と前記第二容器とが、前記第一容器の第一壁と前記第二容器の第二壁とを対向させた状態で連結しており、
前記第二容器は、前記第二壁とは異なる壁にストロー挿入部を有し、
前記ストローが、径の異なる部分を有するストローであり、該ストローは、該ストローを前記ストロー挿入部から挿入して、該ストローの先端を前記第一室の内壁面まで到達させた状態としたとき、前記径の異なる部分のうち最大径部分が第一室にあり、前記第二室になく、
ストローを前記ストロー挿入部から挿入して、該ストローの先端を前記第一室の内壁面まで到達させた状態とするまでに、
前記第一壁に形成される開口面積が、前記第一壁と同一高さにおける前記ストローの横断面積より大きくなり、
前記第二壁に形成される開口面積が、前記第二壁と同一高さにおける前記ストローの横断面積より大きくなり、
前記第一容器と前記第二容器との連結手段が、（２）前記第一壁と前記第二壁との間に設けた接着部材、（３）前記第一容器の外周面及び前記第二容器の外周面にわたって密着するシュリンクフィルム、（４）前記第一壁と前記第二壁との融着又は（５）前記第一容器と第二容器とが相互に固定し合う構造、の（２）〜（５）の少なくともいずれか一つであることを特徴とする二室容器。
【請求項２】
前記第一壁に形成される開口面積をＳ１、前記第二壁に形成される開口面積をＳ２としたとき、次の数１の関係を満たすことを特徴とする請求項１に記載の二室容器。
（数１）Ｓ２≦Ｓ１
【請求項３】
前記第一壁又は前記第二壁の少なくともいずれか一方が、割裂性包材からなることを特徴とする請求項１又は２に記載の二室容器。
【請求項４】
前記第一壁又は前記第二壁の少なくともいずれか一方の表面に、エンボス加工又はダメージ加工の少なくともいずれか一方を施したことを特徴とする請求項１〜３のいずれか一つに記載の二室容器。
【請求項５】
前記第一壁が、前記第一室の開口部に対向する第一底壁であり、
前記第二壁が、前記第二室の開口部に対向する第二底壁であり、
前記第一底壁及び前記第二底壁が、対向位置にそれぞれ脆弱部を有することを特徴とする請求項１又は２に記載の二室容器。
【請求項６】
ストローを前記ストロー挿入部から挿入して、該ストローの先端を前記第一室の内壁面まで到達させた状態としたとき、
前記ストローは、前記第一室に入っている部分の最大横断面積が、前記第一壁と同一高さにおける前記ストローの横断面積及び前記第二壁と同一高さにおける前記ストローの横断面積のいずれよりも大きい先太ストローであることを特徴とする請求項１〜５のいずれか一つに記載の二室容器。
【請求項７】
二室容器が、第一室と該第一室の開口部とを有する第一容器と、
第二室と該第二室の開口部とを有する第二容器と、
開封補助手段Ｑ１又は開封補助手段Ｑ２の少なくともいずれか一方と、を備え、
前記第一容器と前記第二容器とが、前記第一容器の第一壁と前記第二容器の第二壁とを対向させた状態で連結しており、
前記第二容器は、前記第二壁とは異なる壁にストロー挿入部を有し、
ストローの挿入によって前記第一室及び前記第二室を連通して、前記第一室及び前記第二室にそれぞれ充填された内容物を混合する二液の混合方法であって、
ストローを前記ストロー挿入部から前記第二室内に挿入する工程１Ａと、
前記ストロー又は前記開封補助手段Ｑ１によって前記第二壁に、該第二壁を通過するストローの外周面との間に隙間を有する連通口Ｒａを形成する工程２Ａと、
前記開封補助手段Ｑ１又は開封補助手段Ｑ２によって前記第一壁に、該第一壁を通過するストローの外周面との間に隙間を有する連通口Ｒｂを形成する工程３Ａと、を有することを特徴とする二液の混合方法。
【請求項８】
二室容器が、第一室と該第一室の開口部とを有する第一容器と、
第二室と該第二室の開口部とを有する第二容器と、
開封補助手段Ｑ４、又は、開封補助手段Ｑ３及び開封補助手段Ｑ４の両方と、を備え、
前記第一容器と前記第二容器とが、前記第一容器の第一壁と前記第二容器の第二壁とを対向させた状態で連結しており、
前記第二容器は、前記第二壁とは異なる壁にストロー挿入部を有し、
ストローの挿入によって前記第一室及び前記第二室を連通して、前記第一室及び前記第二室にそれぞれ充填された内容物を混合する二液の混合方法であって、
ストローを前記ストロー挿入部から前記第二室内に挿入する工程１Ｂと、
前記ストロー又は前記開封補助手段Ｑ３によって前記第二壁に連通口Ｒｃを形成する工程２Ｂと、
前記ストローを前記開封補助手段Ｑ４に当てる工程３Ｂと、
前記ストローを更に押し込んで、前記開封補助手段Ｑ４によって、前記第一壁に、該第一壁を通過するストローの外周面との間に隙間を有する連通口Ｒｄを形成し、かつ、前記第二壁に通気孔を形成する工程４Ｂと、を有することを特徴とする二液の混合方法。
【請求項９】
前記工程４Ｂは、前記連通口Ｒｄと前記通気孔とを同時に形成する工程であるか、又は前記連通口Ｒｄを形成した後、前記通気孔を形成する工程であることを特徴とする請求項８に記載の二液の混合方法。
【手続補正２】
【補正対象書類名】明細書
【補正対象項目名】００１１
【補正方法】変更
【補正の内容】
【００１１】
本発明に係る二室容器は、第一室と該第一室の開口部とを有する第一容器と、第二室と該第二室の開口部とを有する第二容器とを備え、ストローの挿入によって前記第一室及び前記第二室を連通して、前記第一室及び前記第二室にそれぞれ充填された内容物を混合する二室容器において、前記第一容器と前記第二容器とが、前記第一容器の第一壁と前記第二容器の第二壁とを対向させた状態で連結しており、前記第二容器は、前記第二壁とは異なる壁にストロー挿入部を有し、前記ストローが、径の異なる部分を有するストローであり、該ストローは、該ストローを前記ストロー挿入部から挿入して、該ストローの先端を前記第一室の内壁面まで到達させた状態としたとき、前記径の異なる部分のうち最大径部分が第一室にあり、前記第二室になく、ストローを前記ストロー挿入部から挿入して、該ストローの先端を前記第一室の内壁面まで到達させた状態とするまでに、前記第一壁に形成される開口面積が、前記第一壁と同一高さにおける前記ストローの横断面積より大きくなり、前記第二壁に形成される開口面積が、前記第二壁と同一高さにおける前記ストローの横断面積より大きくなり、前記第一容器と前記第二容器との連結手段が、（２）前記第一壁と前記第二壁との間に設けた接着部材、（３）前記第一容器の外周面及び前記第二容器の外周面にわたって密着するシュリンクフィルム、（４）前記第一壁と前記第二壁との融着又は（５）前記第一容器と第二容器とが相互に固定し合う構造、の（２）〜（５）の少なくともいずれか一つであることを特徴とする。連結手段が（２）〜（５）の少なくともいずれか一つであることで、より簡易な構造とすることができる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】